【誤訳訂正書】
【提出日】令和3年3月11日(2021.3.11)
【誤訳訂正１】
【訂正対象書類名】明細書
【訂正対象項目名】００４６
【訂正方法】変更
【訂正の内容】
【００４６】
[0054]  ＴＴＩバンドリング（TTI bundling）がＵＥのために構成される場合、サブフレームバンドリング動作は通常、アップリンク共有チャネル（ＵＬ−ＳＣＨ）送信に対してのみ適用されるが、他のＵＬ信号／トラフィック（ＵＣＩのような）に対しては適用されない。バンドリングサイズは、例えば、４つのサブフレームで固定され得、ＰＵＳＣＨが４つの連続したサブフレームにおいて送信され得ることを意味する。同じハイブリッドＡＲＱ（ＨＡＲＱ）プロセスナンバーは通常、バンドリングされたサブフレームの各々において使用される。リソース割り当てのサイズは、最大で３個のＲＢに制限され得、変調次数は、２に設定され得る（直交位相偏移キーイング（ＱＰＳＫ））。バンドルは通常、例えば、バンドルごとに使用される単一のハイブリッド−ＡＲＱ肯定応答および単一の許可で、単一のリソースとして扱われる。
【誤訳訂正２】
【訂正対象書類名】特許請求の範囲
【訂正対象項目名】全文
【訂正方法】変更
【訂正の内容】
【特許請求の範囲】
【請求項１】
ユーザ機器（ＵＥ）によってサブフレームのバンドルにわたって、バンドリングされた送信としてアップリンク制御情報（ＵＣＩ）を送信する方法であって、
物理アップリンク共有チャネル（ＰＵＳＣＨ）を送信するための第１の数の連続した送信時間インターバル（ＴＴＩ）を備える第１のＴＴＩバンドリングサイズを決定することと、ここにおいて、前記第１の複数の連続したＴＴＩの各々に対して同じハイブリッド自動再送要求（ＨＡＲＱ）プロセスナンバーが使用される、
前記ＵＣＩを送信するための第２の数の連続したＴＴＩを備える第２のＴＴＩバンドリングサイズを決定することと、ここにおいて、前記第２の複数のＴＴＩの各々に対して同じＨＡＲＱプロセスナンバーが使用される、
前記ＵＣＩとＰＵＳＣＨとがどの範囲まで重複するかに少なくとも部分的に基づいて、バンドリングされた送信として前記ＵＣＩをどのリソース上で送信するかを決定することと、ここにおいて、前記決定することが、前記ＵＣＩと前記ＰＵＳＣＨとの間で部分的に重複するリソースがあるとき、重複するＰＵＳＣＨ部分の外側のＵＣＩ部分をドロップし、前記重複するＰＵＳＣＨ部分上で前記ＵＣＩを送信すると決定することを備える、
前記第１および第２のＴＴＩバンドリングサイズおよび前記決定されたリソースに従って、バンドリングされた送信として前記ＵＣＩおよび前記ＰＵＳＣＨを送信することと  を備える、方法。
【請求項２】
前記ＵＣＩを送信するための前記第２のＴＴＩバンドリングサイズが、前記ＵＣＩが物理アップリンク制御チャネル（ＰＵＣＣＨ）上で送信されるか、または前記ＰＵＳＣＨ上で送信されるかに基づく、請求項１に記載の方法。
【請求項３】
前記第１のＴＴＩバンドリングサイズまたは前記第２のバンドリングサイズのうちの少なくとも１つを示すシグナリングを受信すること
をさらに備える、請求項１に記載の方法。
【請求項４】
前記第１のＴＴＩバンドリングサイズを示すシグナリングを受信することと、
前記第１のＴＴＩバンドリングサイズに少なくとも部分的に基づいて、前記第２のＴＴＩバンドリングサイズを決定することと
を備える、請求項３に記載の方法。
【請求項５】
前記ＵＣＩをどのリソース上で送信するかを決定することはさらに、
ＵＣＩがＰＵＳＣＨと重複しない場合、前記バンドリングされた送信内の全てのサブフレーム上の物理アップリンク制御チャネル（ＰＵＣＣＨ）内で前記ＵＣＩを送信すること  を備える、請求項１に記載の方法。
【請求項６】
前記ＵＣＩをどのリソース上で送信するかを決定することは、
前記バンドリングされた送信の第１のセットのパラメータに少なくとも部分的に基づいて、ＵＣＩリソースを計算すること
を備え、
前記バンドリングされた送信についての前記ＵＣＩリソース計算のための前記第１のセットのパラメータは、バンドリングなしのＵＣＩリソース計算のための第２のセットのパラメータとは異なる、請求項１に記載の方法。
【請求項７】
前記ＵＣＩリソース計算のための前記第１のセットのパラメータは、第１のセットのパラメータにおけるＴＴＩバンドリングサイズと異なるＴＴＩバンドリングサイズのバンドリングされた送信についてのＵＣＩリソース計算のための第３のセットのパラメータとは異なる、請求項６に記載の方法。
【請求項８】
前記バンドリングされた送信の１つまたは複数のパラメータに基づいて、どのタイプのＵＣＩを送信するかまたはドロップするかを決定することをさらに備える、請求項１に記載の方法。
【請求項９】
前記バンドリングされた送信の前記１つまたは複数のパラメータは、バンドリングの長さ、トランスポートブロックのサイズ、またはリソース割り当てのサイズのうちの少なくとも１つを備える、請求項８に記載の方法。
【請求項１０】
前記バンドリングされた送信の１つまたは複数のパラメータに基づいて、前記バンドリングされた送信として、どのタイプのＵＣＩを送信するかを決定することは、
前記バンドリングされた送信として、ランクインジケーション（ＲＩ）またはチャネル品質インジケータ（ＣＱＩ）のうちの少なくとも１つを送信すると決定すること
を備える、請求項８に記載の方法。
【請求項１１】
基地局（ＢＳ）によってサブフレームのバンドルにわたって、バンドリングされた送信としてアップリンク制御情報（ＵＣＩ）を受信する方法であって、
ユーザ機器（ＵＥ）が物理アップリンク共有チャネル（ＰＵＳＣＨ）を送信するための第１の数の連続した送信時間インターバル（ＴＴＩ）を備える第１のＴＴＩバンドリングサイズを決定することと、ここにおいて、前記第１の複数の連続したＴＴＩの各々に対して同じハイブリッド自動再送要求（ＨＡＲＱ）プロセスナンバーが使用される、
前記ＵＥが前記ＵＣＩを送信するための第２の数の連続したＴＴＩを備える第２のＴＴＩバンドリングサイズを決定することと、ここにおいて、前記第２の複数のＴＴＩの各々に対して同じＨＡＲＱプロセスナンバーが使用される、
前記ＵＣＩとＰＵＳＣＨとがどの範囲まで重複するかに少なくとも部分的に基づいて、バンドリングされた送信として前記ＵＣＩを前記ＵＥがどのリソース上で送信するかを決定することと、ここにおいて、前記決定することが、前記ＵＣＩと前記ＰＵＳＣＨとの間で部分的に重複するリソースがあるとき、重複するＰＵＳＣＨ部分の外側のＵＣＩ部分がドロップされることを決定し、前記重複するＰＵＳＣＨ部分上で前記ＵＣＩを送信すると決定することを備える、
前記第１および第２のＴＴＩバンドリングサイズおよび前記決定されたリソースに従って、前記ＵＥからバンドリングされた送信として前記ＵＣＩおよび前記ＰＵＳＣＨを受信することと
を備える、方法。
【請求項１２】
前記ＵＣＩを送信するための前記第２のＴＴＩバンドリングサイズが、前記ＵＣＩが物理アップリンク制御チャネル（ＰＵＣＣＨ）上で送信されるか、または前記ＰＵＳＣＨ上で送信されるかに基づく、請求項１１に記載の方法。
【請求項１３】
前記第１のＴＴＩバンドリングサイズまたは前記第２のバンドリングサイズのうちの少なくとも１つを示すシグナリングを送信すること
をさらに備える、請求項１１に記載の方法。
【請求項１４】
前記第２のＴＴＩバンドリングサイズを決定する際に前記ＵＥが使用するための前記第１のＴＴＩバンドリングサイズを示すシグナリングを送信すること
を備える、請求項１３に記載の方法。
【請求項１５】
バンドリングされた送信として前記ＵＣＩを前記ＵＥがどのリソース上で送信するか決定することは、
前記バンドリングされた送信の第１のセットのパラメータに少なくとも部分的に基づいて、ＵＣＩリソースを計算すること
を備え、
前記バンドリングされた送信についての前記ＵＣＩリソース計算のための前記第１のセットのパラメータは、バンドリングなしのＵＣＩリソース計算のための第２のセットのパラメータとは異なる、請求項１１に記載の方法。
【請求項１６】
前記ＵＣＩリソース計算のための前記第１のセットのパラメータは、第１のセットのパラメータにおけるＴＴＩバンドリングサイズと異なるＴＴＩバンドリングサイズのバンドリングされた送信についてのＵＣＩリソース計算のための第３のセットのパラメータとは異なる、請求項１５に記載の方法。
【請求項１７】
前記バンドリングされた送信の１つまたは複数のパラメータに基づいて、前記ＵＥが、どのタイプのＵＣＩを送信するかまたはドロップするかを決定することをさらに備える、請求項１１に記載の方法。
【請求項１８】
前記バンドリングされた送信の前記１つまたは複数のパラメータは、バンドリングの長さ、トランスポートブロックのサイズ、またはリソース割り当てのサイズのうちの少なくとも１つを備える、請求項１７に記載の方法。
【請求項１９】
前記バンドリングされた送信の１つまたは複数のパラメータに基づいて、前記バンドリングされた送信として、前記ＵＥが、どのタイプのＵＣＩを送信するかを決定することは、
前記ＵＥが、バンドリングされた送信として、ランクインジケーション（ＲＩ）またはチャネル品質インジケータ（ＣＱＩ）のうちの少なくとも１つを送信すると決定すること  を備える、請求項１７に記載の方法。
【請求項２０】
サブフレームのバンドルにわたって、バンドリングされた送信としてアップリンク制御情報（ＵＣＩ）を送信するための装置であって、
物理アップリンク共有チャネル（ＰＵＳＣＨ）を送信するための第１の数の連続した送信時間インターバル（ＴＴＩ）を備える第１のＴＴＩバンドリングサイズを決定することと、ここにおいて、前記第１の複数の連続したＴＴＩの各々に対して同じハイブリッド自動再送要求（ＨＡＲＱ）プロセスナンバーが使用される、
前記ＵＣＩを送信するための第２の数の連続したＴＴＩを備える第２のＴＴＩバンドリングサイズを決定することと、ここにおいて、前記第２の複数のＴＴＩの各々に対して同じＨＡＲＱプロセスナンバーが使用される、
前記ＵＣＩとＰＵＳＣＨとがどの範囲まで重複するかに少なくとも部分的に基づいて、バンドリングされた送信として前記ＵＣＩをどのリソース上で送信するかを決定することと、ここにおいて、前記決定することが、前記ＵＣＩと前記ＰＵＳＣＨとの間で部分的に重複するリソースがあるとき、重複するＰＵＳＣＨ部分の外側のＵＣＩ部分をドロップし、前記重複するＰＵＳＣＨ部分上で前記ＵＣＩを送信すると決定することを備える、  を行うように構成された少なくとも１つのプロセッサと、
前記第１および第２のＴＴＩバンドリングサイズおよび前記決定されたリソースに従って、バンドリングされた送信として前記ＵＣＩおよび前記ＰＵＳＣＨを送信するように構成された送信機と
を備える、装置。
【請求項２１】
サブフレームのバンドルにわたって、バンドリングされた送信としてアップリンク制御情報（ＵＣＩ）を受信するための装置であって、
ユーザ機器（ＵＥ）が物理アップリンク共有チャネル（ＰＵＳＣＨ）を送信するための第１の数の連続した送信時間インターバル（ＴＴＩ）を備える第１のＴＴＩバンドリングサイズを決定することと、ここにおいて、前記第１の複数の連続したＴＴＩの各々に対して同じハイブリッド自動再送要求（ＨＡＲＱ）プロセスナンバーが使用される、
前記ＵＥが前記ＵＣＩを送信するための第２の数の連続したＴＴＩを備える第２のＴＴＩバンドリングサイズを決定することと、ここにおいて、前記第２の複数のＴＴＩの各々に対して同じＨＡＲＱプロセスナンバーが使用される、
前記ＵＣＩとＰＵＳＣＨとがどの範囲まで重複するかに少なくとも部分的に基づいて、バンドリングされた送信として前記ＵＣＩを前記ＵＥがどのリソース上で送信するかを決定することと、ここにおいて、前記決定することが、前記ＵＣＩと前記ＰＵＳＣＨとの間で部分的に重複するリソースがあるとき、重複するＰＵＳＣＨ部分の外側のＵＣＩ部分がドロップされることを決定し、前記重複するＰＵＳＣＨ部分上で前記ＵＣＩを送信すると決定することを備える、
を行うように構成された少なくとも１つのプロセッサと、
前記第１および第２のＴＴＩバンドリングサイズおよび前記決定されたリソースに従って、前記ＵＥからバンドリングされた送信として前記ＵＣＩおよび前記ＰＵＳＣＨを受信するように構成された受信機と
を備える、装置。
【請求項２２】
前記どのタイプのＵＣＩを送信するかまたはドロップするかを決定することは、チャネル品質インジケータ（ＣＱＩ）またはサウンディング基準信号（ＳＲＳ）のうちの少なくとも１つをドロップするかどうか決定することを備え、
前記チャネル品質インジケータ（ＣＱＩ）またはサウンディング基準信号（ＳＲＳ）のうちの少なくとも１つをドロップするかどうか決定することはさらに、前記ＵＥが間欠受信（ＤＲＸ）ＯＮ継続期間外にあるかどうかに基づく、
請求項８に記載の方法。